(57)【要約】【課題】一度再生したことのある画像データに画像処理を施して再生する際に、迅速に画像処理を行う。【解決手段】ＤＶＤプレーヤー１においてメディアＭに記録された静止画像データＳ０を再生する際に、画像処理手段２１において画像処理パラメータＰ０を算出し、これに基づいて静止画像データＳ０に画像処理を施して処理済み画像データＳ１を生成してテレビ３において再生する。この際、画像処理パラメータＰ０をＲＡＭ１４に記憶する。後日同一のメディアＭに記録された静止画像データＳ０を再生する場合には、ＲＡＭ１４に記憶された画像処理パラメータＰ０を用いて静止画像データＳ０に対して画像処理を施す。【選択図】　　　　　図１
2004088435.tif 000002
【特許請求の範囲】
【請求項１】
画像データに対して画像処理を施すための画像処理パラメータを算出し、該画像処理パラメータに基づいて前記画像データに対して画像処理を施す画像処理方法において、
前記画像処理後、前記画像処理パラメータを保管することを特徴とする画像処理方法。
【請求項２】
前記画像処理パラメータを互いに関連する複数の画像データと対応付けて保管することを特徴とする請求項１記載の画像処理方法。
【請求項３】
記録媒体に記録された画像データを読み出すことにより前記画像データを取得し、
前記記録媒体以外の記録手段に前記画像処理パラメータを記録することにより該画像処理パラメータを保管することを特徴とする請求項１または２記載の画像処理方法。
【請求項４】
前記画像処理パラメータが、前記画像データに基づいて算出された算出パラメータおよびマニュアル操作により設定された指定パラメータからなり、
前記記録手段の容量が不足した場合、算出日時が古い前記画像処理パラメータから順に前記算出パラメータを前記記録手段から削除することを特徴とする請求項３記載の画像処理方法。
【請求項５】
記録媒体に記録された画像データを読み出すことにより前記画像データを取得し、
前記記録媒体に前記画像処理パラメータを記録することにより該画像処理パラメータを保管することを特徴とする請求項１または２記載の画像処理方法。
【請求項６】
前記画像処理パラメータに基づいて、該画像処理パラメータを得た前記画像データに対して画像処理を施すことを特徴とする請求項１から５のいずれか１項記載の画像処理方法。
【請求項７】
画像データに対して画像処理を施すための画像処理パラメータを算出し、該画像処理パラメータに基づいて前記画像データに対して画像処理を施す画像処理手段を備えた画像処理装置において、
前記画像処理後、前記画像処理パラメータを保管する保管手段をさらに備えたことを特徴とする画像処理装置。
【請求項８】
前記保管手段は、前記画像処理パラメータを互いに関連する複数の画像データと対応付けて保管する手段であることを特徴とする請求項７記載の画像処理装置。
【請求項９】
記録媒体に記録された画像データを読み出すことにより前記画像データを取得する読出手段をさらに備え、
前記保管手段は、前記記録媒体以外の記録手段に前記画像処理パラメータを記録することにより該画像処理パラメータを保管する手段であることを特徴とする請求項７または８記載の画像処理装置。
【請求項１０】
前記画像処理パラメータが、前記画像データに基づいて算出された算出パラメータおよびマニュアル操作により設定された指定パラメータからなる場合、
前記保管手段は、前記記録手段の容量が不足した場合、算出日時が古い前記画像処理パラメータから順に前記算出パラメータを前記記録手段から削除する手段であることを特徴とする請求項９記載の画像処理装置。
【請求項１１】
記録媒体に記録された画像データを読み出すことにより前記画像データを取得する読出手段をさらに備え、
前記保管手段は、前記記録媒体に前記画像処理パラメータを記録することにより該画像処理パラメータを保管する手段であることを特徴とする請求項７または８記載の画像処理装置。
【請求項１２】
前記画像処理手段は、前記画像処理パラメータに基づいて、該画像処理パラメータを得た前記画像データに対して画像処理を施す手段であることを特徴とする請求項７から１１のいずれか１項記載の画像処理装置。
【請求項１３】
画像データに対して画像処理を施すための画像処理パラメータを算出し、該画像処理パラメータに基づいて前記画像データに対して画像処理を施す画像処理方法をコンピュータに実行させるためのプログラムにおいて、前記画像処理後、前記画像処理パラメータを保管する手順を有するプログラム。
【請求項１４】
前記保管する手順は、前記画像処理パラメータを互いに関連する複数の画像データと対応付けて保管する手順である請求項１３記載のプログラム。
【請求項１５】
記録媒体に記録された画像データを読み出すことにより前記画像データを取得する手順をさらに有し、
前記保管する手順は、前記記録媒体以外の記録手段に前記画像処理パラメータを記録することにより該画像処理パラメータを保管する手順である請求項１３または１４記載のプログラム。
【請求項１６】
前記画像処理パラメータが、前記画像データに基づいて算出された算出パラメータおよびマニュアル操作により設定された指定パラメータからなる場合において、
前記記録手段の容量が不足した場合、算出日時が古い前記画像処理パラメータから順に前記算出パラメータを前記記録手段から削除する手順をさらに有する請求項１５記載のプログラム。
【請求項１７】
記録媒体に記録された画像データを読み出すことにより前記画像データを取得する手順をさらに有し、
前記保管する手順は、前記記録媒体に前記画像処理パラメータを記録することにより該画像処理パラメータを保管する手順である請求項１３または１４記載のプログラム。
【請求項１８】
前記画像処理パラメータに基づいて、該画像処理パラメータを得た前記画像データに対して画像処理を施す手順をさらに有する請求項１３から１７のいずれか１項記載のプログラム。
【発明の詳細な説明】
【０００１】
【発明の属する技術分野】
本発明は、画像データに対して画像処理パラメータに基づいて画像処理を施す画像処理方法および装置並びに画像処理方法をコンピュータに実行させるためのプログラムに関するものである。
【０００２】
【従来の技術】
デジタルスチルカメラ（以下デジタルカメラとする）においては、撮影により取得した画像をデジタル画像データとしてデジタルカメラ内部に設けられた内部メモリやメモリカード等のメディアに記録し、記録されたデジタル画像データに基づいて、プリンタやモニタに撮影により取得した画像を再生することができる。このように、デジタルカメラにより取得した画像をモニタやプリンタにより再生する場合においては、ネガフイルムからプリントされた写真と同様の高品位な画質を有するものとすることが期待されている。
【０００３】
このため、デジタルカメラにより取得された画像データをモニタやプリンタにおいて再生する場合に、濃度補正処理、階調変換処理、色補正処理、シャープネス処理、画像の回転、トリミング等の画像処理を行うための種々の画像処理方法が提案されている。このような画像処理方法は、通常、パソコンにインストールされた画像処理ソフトウェアにより実行される。そして、ユーザはデジタルカメラのメディアから画像データをパソコンのハードディスクに生成された所定のフォルダにコピーし、パソコンにインストールされた画像処理ソフトウェアを立ち上げ、画像処理ソフトウェアによるＧＵＩを用いて、画像処理を施す画像データの選択、画像処理のための種々の指示を行う。そして、画像処理ソフトウェアは、入力された指示に基づいて画像データに画像処理を施し、これにより、処理済みの画像データが得られる。
【０００４】
ところで、ＤＶＤプレーヤーは、ＤＶＤに記録された映画を家庭用のテレビにおいて再生したり、ＣＤに記録された音楽を再生して楽しむことができる。一方、ＤＶＤやＣＤ等のメディアに記録された静止画像を表す静止画像データをＤＶＤプレーヤーにより表示することも可能となってきている。これにより、デジタルカメラにより取得した画像データをメディアに記録すれば、自身が撮影した画像を家庭用のテレビに表示して家族や友人とともに楽しむことができる。
【０００５】
この際、ＤＶＤプレーヤーに画像処理を行う機能を持たせ、メディアに記録された画像データに対して画像処理を施すことにより、高画質の画像を家庭用のテレビに表示することができる。
【０００６】
【発明が解決しようとする課題】
しかしながら、多くの家庭において使用される汎用型のＤＶＤプレーヤーは、比較的安価なＣＰＵを使用しているため、画像処理パラメータを算出して画像データに対して画像処理を施すのに時間を要するという問題がある。とくに、デジタルカメラにより取得した画像データは、家族や友人と何度も見ることが多いため、画像データを再生する毎に画像処理パラメータを算出していたのでは、再生時のストレスが大きい。
【０００７】
本発明は上記事情に鑑みなされたものであり、一度再生したことのある画像データを再生する際に、迅速に画像処理を行うことを目的とする。
【０００８】
【課題を解決するための手段】
本発明による画像処理方法は、画像データに対して画像処理を施すための画像処理パラメータを算出し、該画像処理パラメータに基づいて前記画像データに対して画像処理を施す画像処理方法において、
前記画像処理後、前記画像処理パラメータを保管することを特徴とするものである。
【０００９】
「画像処理パラメータ」とは、濃度補正処理、階調変換処理、色補正処理、シャープネス処理、画像の回転、トリミング等の画像処理を行うためのパラメータである。ここで、濃度補正処理、階調変換処理、色補正処理、シャープネス処理のパラメータは画像データに基づいて算出することができるが、画像の回転、トリミングのパラメータは、画像データをモニタに表示して画像処理を行うユーザのマニュアル操作により設定される。
【００１０】
なお、本発明による画像処理方法においては、前記画像処理パラメータを互いに関連する複数の画像データと対応付けて保管するようにしてもよい。
【００１１】
「関連する複数の画像データ」とは、例えば撮影間隔が近い画像データまたは被写体が同一である画像データ等、同一の画像処理パラメータを用いて画像処理を行った場合に、略同一の画質を得ることができる画像データを言う。
【００１２】
また、本発明による画像処理方法においては、記録媒体に記録された画像データを読み出すことにより前記画像データを取得し、
前記記録媒体以外の記録手段に前記画像処理パラメータを記録することにより該画像処理パラメータを保管するようにしてもよい。
【００１３】
「記録媒体以外の記録手段」としては、画像処理方法を実施する装置に設けられたメモリ、およびハードディスクや、装置と接続された外部のハードディスク、画像データを再生するテレビ等に接続されたセットトップボックス、さらにはインターネット上のサーバ等を用いることができる。
【００１４】
また、本発明による画像処理方法においては、前記画像処理パラメータが、前記画像データに基づいて算出された算出パラメータおよびマニュアル操作により設定された指定パラメータからなる場合において、
前記記録手段の容量が不足した場合、算出日時が古い前記画像処理パラメータから順に前記算出パラメータを前記記録手段から削除するようにしてもよい。
【００１５】
また、本発明による画像処理方法においては、記録媒体に記録された画像データを読み出すことにより前記画像データを取得し、
前記記録媒体に前記画像処理パラメータを記録することにより該画像処理パラメータを保管するようにしてもよい。
【００１６】
記録媒体がＤＶＤ−ＲやＣＤ−Ｒの場合には、データの記録の仕方によって新たなデータの追記ができない場合がある。本発明においては、データの追記が可能な記録方式により画像データが記録された記録媒体を対象とするものである。
【００１７】
なお、記録媒体にデータが追記されるのを好まないユーザもいるため、画像処理パラメータを記録媒体に記録する場合には、追記を行うか否かの選択をユーザに行わせるようにすることが好ましい。
【００１８】
また、本発明による画像処理方法においては、前記画像処理パラメータに基づいて、該画像処理パラメータを得た前記画像データに対して画像処理を施すようにしてもよい。
【００１９】
本発明による画像処理装置は、画像データに対して画像処理を施すための画像処理パラメータを算出し、該画像処理パラメータに基づいて前記画像データに対して画像処理を施す画像処理手段を備えた画像処理装置において、
前記画像処理後、前記画像処理パラメータを保管する保管手段をさらに備えたことを特徴とするものである。
【００２０】
なお、本発明による画像処理装置においては、前記保管手段を、前記画像処理パラメータを互いに関連する複数の画像データと対応付けて保管する手段としてもよい。
【００２１】
また、本発明による画像処理装置においては、記録媒体に記録された画像データを読み出すことにより前記画像データを取得する読出手段をさらに備えるものとし、
前記保管手段を、前記記録媒体以外の記録手段に前記画像処理パラメータを記録することにより該画像処理パラメータを保管する手段としてもよい。
【００２２】
また、本発明による画像処理装置においては、前記画像処理パラメータが、前記画像データに基づいて算出された算出パラメータおよびマニュアル操作により設定された指定パラメータからなる場合、
前記保管手段を、前記記録手段の容量が不足した場合、算出日時が古い前記画像処理パラメータから順に前記算出パラメータを前記記録手段から削除する手段としてもよい。
【００２３】
また、本発明による画像処理装置においては、記録媒体に記録された画像データを読み出すことにより前記画像データを取得する読出手段をさらに備えるものとし、
前記保管手段を、前記記録媒体に前記画像処理パラメータを記録することにより該画像処理パラメータを保管する手段としてもよい。
【００２４】
また、本発明による画像処理装置においては、前記画像処理手段を、前記画像処理パラメータに基づいて、該画像処理パラメータを得た前記画像データに対して画像処理を施す手段としてもよい。
【００２５】
なお、本発明による画像処理方法をコンピュータに実行させるためのプログラムとして提供してもよい。
【００２６】
【発明の効果】
本発明によれば、画像データに対する画像処理後、画像処理パラメータが保管される。したがって、再度同一の画像データに対して画像処理を施す場合には、保管された画像処理パラメータを参照することにより、画像データに対して画像処理を施すことができるため、再度画像処理パラメータを算出する必要がなくなり、これにより、画像データに対する画像処理を迅速に行うことができる。
【００２７】
また、請求項２、８および１４の発明によれば、画像処理パラメータが互いに関連する複数の画像データと対応付けられて保管される。このため、画像データのそれぞれについて画像処理パラメータを保管する必要がなくなり、これにより、画像処理パラメータを保管する記録手段の記録容量を確保することができる。
【００２８】
また、請求項３、９および１５の発明によれば、記録媒体に記録された画像データが読み出されて画像データが取得され、記録媒体以外の記録手段に画像処理パラメータが記録される。このため、記録手段に記録された画像処理パラメータを参照することにより、画像データに対して直ちに画像処理を施すことができる。
【００２９】
また、請求項４、１０および１６の発明によれば、画像処理パラメータが算出パラメータおよび指定パラメータからなる場合において、記録手段の容量が不足した場合に、算出日時が古い画像処理パラメータから順に算出パラメータが削除される。ここで、指定パラメータは画像データを再生しつつマニュアル操作により指定する必要があるが、算出パラメータは画像データに基づいて比較的容易に算出できるものである。このため、算出パラメータのみを削除することにより、画像データに対して再度画像処理を施す場合には、再度マニュアル操作により指定パラメータを算出する必要がなくなり、これにより、再度の画像処理時において、処理を行うユーザの負担を軽減することができる。
【００３０】
また、請求項５、１１および１７の発明によれば、記録媒体に記録された画像データが読み出されて画像データが取得され、記録媒体に画像処理パラメータが記録される。このため、記録媒体に記録された画像処理パラメータを参照することにより、画像データに対して直ちに画像処理を施すことができる。
【００３１】
【発明の実施の形態】
以下図面を参照して本発明の実施形態について説明する。図１は本発明の実施形態による画像処理装置を適用したＤＶＤプレーヤーの構成を示す概略ブロック図である。図１に示すように、本実施形態によるＤＶＤプレーヤー１は、メディアＭの挿入を受け付けてメディアＭに記録された動画像データ、静止画像データＳ０および音声データ等を読み出すメディアドライブ１１と、動画像データ、静止画像データＳ０および音声データをデコードするデコーダー１２と、動画像データ、静止画像データＳ０および音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ等の外部機器を接続するためのＵＳＢ、ＩＥＥＥ等の規格からなる入出力端子１８と、後述するように静止画像データＳ０の再生時に静止画像データＳ０に対して画像処理を施して処理済み画像データＳ１を得る画像処理手段２１と、メディアドライブ１１、デコーダー１２、ＲＯＭ１３、ＲＡＭ１４、受信部１６、テレビ端子１７、入出力端子１８および画像処理手段２１を制御するＣＰＵ１９とを備える。
【００３２】
メディアＭにはパソコン４において、デジタルカメラ５により取得された複数の静止画像データＳ０が記録される。
【００３３】
ここで、メディアＭに記録される動画像データ、静止画像データＳ０および音声データは、それぞれＭＰＥＧ、ＪＰＥＧ等の形式により圧縮されている。デコーダー１２は、メディアＭに記録された圧縮された動画像データ、静止画像データＳ０および音声データを解凍し、再生のためにテレビ端子１７に入力するものである。なお、動画像データ、静止画像データＳ０および音声データのそれぞれについて専用のデコーダー１２を設けてもよいが、装置の小型化および低コスト化の観点から、動画像データ、静止画像データＳ０および音声データで兼用のデコーダー１２を設けることが好ましい。また、動画像データの再生時には、画像と音声とを別個にデコードする必要がある場合があるため、動画像データ用のデコーダー１２と、音声データおよび静止画像データ用のデコーダー１２とを設けることが好ましい。
【００３４】
ＲＯＭ１３には、ＤＶＤプレーヤー１の動作プログラムが記録される。この動作プログラムは、データの再生をＣＰＵ１９に行わせるものであり、その操作はリモコン１５を用いて行われる。
【００３５】
ここで、データの再生が指示された場合には、再生するデータをユーザに選択させる画面がテレビ３に表示され、ユーザがリモコン１５により選択したデータをテレビ３に再生するように、メディアドライブ１１、デコーダー１２およびＣＰＵ１９がプログラムにより駆動される。
【００３６】
例えば、ユーザが動画像データを記録したメディアＭをメディアドライブ１１に挿入して動画像データの再生の指示を行った場合には、メディアドライブ１１によりメディアＭに記録された動画像データが読み出され、デコーダー１２によりデコードされる。そして、デコードされた動画像データがテレビ端子１７から出力されてテレビ３に動画像が再生される。
【００３７】
また、ユーザが静止画像データＳ０を記録したメディアＭをメディアドライブ１１に挿入して静止画像データＳ０の再生の指示を行った場合には、メディアドライブ１１によりメディアＭに記録された静止画像データＳ０が読み出され、デコーダー１２によりデコードされる。そして、デコードされた静止画像データＳ０に対して画像処理手段２１において画像処理が施され、これにより得られた処理済み画像データＳ１がテレビ端子１７から出力されてテレビ３に静止画像が再生される。なお、複数の静止画像データＳ０がメディアに記録されている場合には、複数の静止画像データＳ０をサムネイル表示し、ここで選択されたサムネイル画像に対応する静止画像データＳ０に画像処理を施して再生する。
【００３８】
なお、静止画像データＳ０を再生する場合には、その静止画像データＳ０が既にＤＶＤプレーヤー１において画像処理が行われて後述するようにＲＡＭ１４に画像処理パラメータＰ０が記憶されているか否かが判定される。そして、画像処理パラメータＰ０がＲＡＭ１４に記憶されていない場合には、後述するように画像処理手段２１において画像処理パラメータＰ０が算出されて画像処理が行われる。一方、画像処理パラメータＰ０がＲＡＭ１４に記憶されている場合には、ＲＡＭ１４に記憶された画像処理パラメータＰ０を用いて静止画像データＳ０に対して画像処理が施される。
【００３９】
また、ユーザが音声データを記録したメディアＭをメディアドライブ１１に挿入して音声データの再生の指示を行った場合には、メディアドライブ１１によりメディアＭに記録された音声データが読み出され、デコーダー１２によりデコードされる。そして、デコードされた音声データがテレビ端子１７から出力されてテレビ３において音声が再生される。なお、入出力端子１８にステレオやスピーカーを接続し、ステレオやスピーカーにより音声を再生するようにしてもよい。
【００４０】
なお、ＲＯＭ１３に代えて、専用チップによりデータの再生を行うようにしてもよい。
【００４１】
ＲＡＭ１４は、種々のデータを一時的に記憶したり、処理の作業領域となるとともに、後述するように画像処理手段２１において算出された画像処理パラメータＰ０を記憶する。
【００４２】
受信部１６は、リモコン１５から送信された、ユーザにより操作された操作内容を表す信号を受信し、操作内容に応じてＤＶＤプレーヤー１を駆動する指示をＣＰＵ１９に入力する。ここで、リモコン１５により、動画像データ、静止画像データＳ０および音声データの再生並びに種々の設定等、ＤＶＤプレーヤー１の全ての操作を行うことができる。
【００４３】
画像処理手段２１は、静止画像データＳ０の再生が指示された場合に、メディアＭから静止画像データＳ０を読み出し、読み出された静止画像データＳ０に基づいて画像処理パラメータＰ０を算出する。図２は、画像処理パラメータＰ０の算出を説明するための図である。
【００４４】
本実施形態においては、オートセットアップにより、静止画像データＳ０に対して濃度補正処理、階調変換処理、色補正処理およびシャープネス処理等を施すための算出パラメータＰ１が算出され、これに加えて、静止画像データＳ０を再生しようとしているユーザによりマニュアル操作にて行われる画像の回転、トリミング等のパラメータが指定パラメータＰ２として算出される。
【００４５】
まず、演算量を低減するために静止画像データＳ０に対して縮小処理が施され、オートセットアップにより、静止画像データＳ０のタグ情報に付与された被写体輝度、ストロボの有無等の情報に基づいて静止画像データＳ０が解析され、算出パラメータＰ１が算出される。ここで、濃度補正および階調補正については１次元ルックアップテーブルが、色補正については３×３マトリクスが、シャープネス処理についてはシャープネス処理プロファイルがそれぞれ算出パラメータＰ１として算出される。
【００４６】
一方、デジタルカメラ５は、その機種に応じて再生画像の画質が異なるものである。このため、デジタルカメラ５において得られた静止画像データＳ０に対して、オートセットアップにより算出した算出パラメータＰ１を含む画像処理パラメータＰ０を用いて画像処理を施した場合、機種に応じて再生画像の画質が異なるものとなってしまう。したがって、本実施形態においては、静止画像データＳ０に画像処理を施す際には、デジタルカメラ５の階調特性および色特性を吸収するための３次元ルックアップテーブル（ＬＵＴ１とする）により、静止画像データＳ０に対して画像処理を施して、デジタルカメラ５の機種毎の画質の差異が吸収された標準色空間の静止画像データＳ０を得るようにしている。なお、ＬＵＴ１はデジタルカメラ５の機種毎に生成され、画像処理手段２１により管理されている。なお、ＬＵＴ１に代えて、階調補正のための１次元ルックアップテーブルおよび色補正のための３×３マトリクスを用いてもよい。
【００４７】
一方、指定パラメータＰ２については、縮小処理が施された静止画像データＳ０をテレビ端子１７から出力してテレビ３に表示し、リモコン１５を用いてユーザが画像の回転およびトリミングをマニュアル操作により指定することにより算出される。なお、算出パラメータＰ１により静止画像データＳ０に対して仮の画像処理を施して仮の処理済み画像データを得、これをテレビ端子１７から出力してテレビ３に表示し、ユーザにより微調整を受け付けるようにしてもよい。この際に行われた微調整により変更された算出パラメータ（Ｐ１′とする）と算出パラメータＰ１の差分は指定パラメータＰ２に含められる。
【００４８】
そして、画像処理手段２１は、算出パラメータＰ１および指定パラメータＰ２からなる画像処理パラメータＰ０により、静止画像データＳ０に対して画像処理を施して処理済み画像データＳ１を得る。なお、静止画像データＳ０がＪＰＥＧ形式の場合には、解凍の過程において静止画像データＳ０は輝度色差データにより表される。このため、輝度色差データからなる静止画像データＳ０に基づいて画像処理パラメータＰ０を算出し、輝度色差データからなる静止画像データＳ０に対して画像処理を施すようにしてもよい。なお、静止画像データＳ０をＲＧＢデータに変換し、ＲＧＢデータからなる静止画像データＳ０に基づいて画像処理パラメータＰ０を算出し、ＲＧＢデータからなる静止画像データＳ０に対して画像処理を施すようにしてもよいことはもちろんである。
【００４９】
一方、画像処理パラメータＰ０は静止画像データＳ０のファイル名と対応付けられてＲＡＭ１４に記憶される。
【００５０】
図３は、画像処理パラメータＰ０の記憶態様を示す図である。基本的には、画像処理パラメータＰ０は静止画像データＳ０毎に算出されるため、図３（ａ）に示すように、静止画像データＳ０のファイル名と画像処理パラメータＰ０とが対応付けられてＲＡＭ１４に記憶される。なお、画像処理パラメータＰ０は、算出パラメータＰ１と指定パラメータＰ２とに分類されて記憶される。ここで、異なるメディアＭに同一のファイル名の静止画像データＳ０が存在する場合があるため、画像処理パラメータＰ０はメディアＭのボリューム名毎に分類されてＲＡＭ１４に記憶されている。なお、数値は各処理におけるパラメータの値である。
【００５１】
ここで、撮影間隔が近い静止画像データＳ０や、被写体が同一である静止画像データＳ０は、同一の画像処理パラメータＰ０を用いても略同一の画質が得られる。このため、後述する画像処理手段２１において、撮影間隔が近い静止画像データＳ０および被写体が同一である静止画像データＳ０を１つのグループにまとめ、図３（ｂ）に示すように各グループに１つの画像処理パラメータＰ０を対応付けてＲＡＭ１４に画像処理パラメータＰ０を記憶してもよい。これにより、ＲＡＭ１４の記憶容量を確保することができる。
【００５２】
なお、ＲＡＭ１４の容量には限界があるため、画像処理パラメータＰ０を記憶していくうちに、新たな画像処理パラメータＰ０を記憶することができなくなる場合がある。ここで、画像処理パラメータＰ０のうち算出パラメータＰ１は静止画像データＳ０に基づいて自動で算出されるためユーザの負担は小さいが、指定パラメータＰ２はユーザがテレビ３に表示された静止画像データＳ０を見ながらマニュアル操作により指定する必要があるため、ユーザの負担が大きい。したがって、本実施形態においては、新たに算出された画像処理パラメータＰ０をＲＡＭ１４に記憶する際に空き容量が少ない場合には、既にＲＡＭ１４に記憶されている画像処理パラメータＰ０のうち、算出パラメータＰ１を算出された日時が古いものから順に削除する。
【００５３】
これにより、新たに算出された画像処理パラメータＰ０をＲＡＭ１４に記憶することができるとともに、削除されるのは算出パラメータＰ１であるため、算出パラメータＰ１が削除された静止画像データＳ０を再度再生する際にも、ユーザの手を煩わすことなく静止画像データＳ０に対して画像処理を施すことができる。
【００５４】
なお、デジタルカメラ５のユーザがデジタルカメラ５において取得した静止画像データＳ０のメディアＭへの記録を写真店に依頼すると、メディアＭに記録された静止画像データＳ０は既に画像処理が施されたものとなっている。このように、静止画像データＳ０に既に画像処理が施されている場合には、さらに画像処理パラメータＰ０を算出して、その画像処理パラメータＰ０によりその静止画像データＳ０に対して画像処理を施すと、処理済み画像データＳ１の画質が却って低下するおそれがある。このため、静止画像データＳ０が画像処理が施されたものであるか否かを判定し、画像処理が未処理の静止画像データＳ０に対してのみ画像処理パラメータＰ０の算出を行って画像処理を施すことにより、処理済み画像データＳ１の画質が低下してしまうことを防止できる。
【００５５】
ここで、静止画像データＳ０が画像処理が施されたものであるか否かの判定は、メディアＭのボリューム名に基づき、ボリューム名が写真店において付与されたものであるか否かを判定することにより行うことができる。
【００５６】
次いで、本実施形態の動作について説明する。図４および図５は、本実施形態において行われる処理を示すフローチャートである。まず、メディアＭがメディアドライブ１１に挿入されたか否かが監視されており（ステップＳ１）、ステップＳ１が肯定されると、さらにメディアＭに記録されたデータの再生指示がなされたか否かの監視が開始される（ステップＳ２）。ステップＳ２が肯定されると、メディアＭに記録されたデータの種類が判定される（ステップＳ３）。メディアＭに記録されたデータが動画像データまたは音声データの場合には、動画像データまたは音声データがデコードされ（ステップＳ４）、テレビ端子１７から出力されてテレビ３において動画像または音声が再生され（ステップＳ５）、処理を終了する。
【００５７】
一方、メディアＭに記録されたデータが静止画像データＳ０である場合には、静止画像データＳ０がメディアＭから読み出されてデコードされ（ステップＳ６）、さらに全ての静止画像データＳ０についてサムネイル画像データが生成され（ステップＳ７）、これが一覧画面としてテレビ端子１７から出力され、サムネイル画像の一覧画面がテレビ３に表示される（ステップＳ８）。なお、読み出された静止画像データＳ０はサムネイル画像データ生成のためにＲＡＭ１４に一時的に記憶されるが、サムネイル画像データの生成後ＲＡＭ１４から削除されるものとする。
【００５８】
そして、一覧画面から再生するサムネイル画像の選択がなされたか否かの監視が開始され（ステップＳ９）、ステップＳ９が肯定されると、サムネイル画像の選択が現在挿入されているメディアＭについて最初のものであるか否かが判定される（ステップＳ１０）。ステップＳ１０が肯定されると、メディアＭのボリューム名が読み出され（ステップＳ１１）、メディアＭがＲＡＭ１４に登録されているか否かが判定される（ステップＳ１２）。なお、ステップＳ１０が否定された場合はステップＳ１２に進む。ステップＳ１２が肯定されると、さらに、選択されたサムネイル画像に対応する静止画像データＳ０について画像処理パラメータＰ０がＲＡＭ１４に記憶されているか否かが判定される（ステップＳ１３）。
【００５９】
ステップＳ１３が肯定されると、現在メディアドライブ１１に挿入されているメディアＭに記録された静止画像データＳ０は、一度ＤＶＤプレーヤー１において画像処理が行われて画像処理パラメータＰ０がＲＡＭ１４に記憶されていることから、再生しようとしているサムネイル画像に対応する静止画像データＳ０についての画像処理パラメータＰ０がＲＡＭ１４から読み出される（ステップＳ１４）。
【００６０】
さらに、再生しようとしているサムネイル画像に対応する静止画像データＳ０がメディアＭから読み出され（ステップＳ１５）、画像処理パラメータＰ０により画像処理が施されて処理済み画像データＳ１が得られる（ステップＳ１６）。処理済み画像データＳ１はテレビ端子１７から出力されテレビ３に表示される（ステップＳ１７）。続いて、ユーザのマニュアル操作による画像処理の指示があったか否かが判定され（ステップＳ１８）、ステップＳ１８が肯定されると、マニュアル操作による指定パラメータＰ２がＲＡＭ１４に記憶され（ステップＳ１９）、指定パラメータＰ２による画像処理が静止画像データＳ０に対して施され（ステップＳ２０）、ステップＳ１７に戻る。
【００６１】
一方、ステップＳ１８が否定されると、他の静止画像データＳ０を再生する旨の入力がなされたか否かが判定され（ステップＳ１９）、ステップＳ１９が肯定されるとステップＳ８に戻り、ステップＳ８以降の処理が繰り返される。
【００６２】
ステップＳ１９が否定されると、再生を終了する旨の入力がなされたか否かが判定され（ステップＳ２０）、ステップＳ２０が否定されるとステップＳ１９に戻る。ステップＳ２０が肯定されると処理を終了する。
【００６３】
一方、ステップＳ１２が否定されると、メディアＭのボリューム名に基づいて選択されたサムネイル画像データに対応する静止画像データＳ０が既に画像処理済みのものであるか否かが判定される（ステップＳ２１）。ステップＳ２１が肯定されるとステップＳ１７に進み、ステップＳ１７以降の処理が行われる。
【００６４】
ステップＳ２１が否定された場合、およびステップＳ１３が否定された場合には、再生しようとしている静止画像データＳ０がメディアＭから読み出され（ステップＳ２２）、静止画像データＳ０に基づいて画像処理パラメータＰ０が算出される（ステップＳ２３）。算出された画像処理パラメータＰ０はメディアＭのボリューム名とともにＲＡＭ１４に記憶される（ステップＳ２４）。そして、ステップＳ１６に進み、算出された画像処理パラメータＰ０により静止画像データＳ０に対して画像処理が施され、ステップＳ１６以降の処理が行われる。
【００６５】
なお、ここでＲＡＭ１４に記憶される画像処理パラメータＰ０は算出パラメータＰ１のみからなるものであり、ステップＳ１８において画像処理の指示が合った場合に、その指示に基づく指定パラメータＰ２が画像処理パラメータＰ０に含められてＲＡＭ１４に記憶される。
【００６６】
図６は、算出された画像処理パラメータＰ０のＲＡＭ１４への記憶時に行われる処理を示すフローチャートである。まず、ＲＡＭ１４の空き容量があるか否かが判定され（ステップＳ３１）、ステップＳ３１が否定されると、算出した日時が古い画像処理パラメータＰ０について、算出パラメータＰ１が削除され（ステップＳ３２）、ステップＳ３１に戻る。ステップＳ３１が肯定されると、画像処理パラメータＰ０がＲＡＭ１４に記憶され（ステップＳ３３）、処理を終了する。
【００６７】
このように、本実施形態によれば、静止画像データＳ０について画像処理パラメータＰ０を算出するとこれをＲＡＭ１４に記憶し、再度同一の静止画像データＳ０について再生の指示がなされた場合は、ＲＡＭ１４に記憶された画像処理パラメータＰ０に基づいて静止画像データＳ０に対して画像処理を施すようにしたため、再度画像処理パラメータＰ０を算出する必要がなくなり、これにより、ＤＶＤプレーヤー１のように比較的安価なＣＰＵ１９を使用していても、画像処理を迅速に行うことができる。
【００６８】
なお、上記実施形態においては、画像処理パラメータＰ０をＲＡＭ１４に記憶しているが、ＤＶＤプレーヤー１がハードディスクを有する場合には、ハードディスクに画像処理パラメータＰ０を記憶してもよい。また、入出力端子１９に外部ハードディスク、記憶手段を有するビデオレコーダ等の外部機器が接続されている場合、あるいはテレビ３がハードディスクを有するものである場合、記憶手段を有するセットトップボックスがテレビ３に接続されている場合等には、接続された外部機器またはテレビに画像処理パラメータＰ０を記憶してもよい。さらに、ＤＶＤプレーヤー１がインターネット等のネットワークを介して外部のサーバと接続されている場合には、サーバに画像処理パラメータＰ０を送信して記憶するようにしてもよい。この場合において画像処理を行うためには、ＤＶＤプレーヤー１がサーバにアクセスして画像処理パラメータＰ０をダウンロードする必要がある。
【００６９】
また、上記実施形態においては、画像処理パラメータＰ０をメディアＭのボリューム名と対応付けてＲＡＭ１４に記憶しているが、静止画像データＳ０のタグ情報に記述されている画像のグレーレベル等の特徴量と対応付けて画像処理パラメータＰ０をＲＡＭ１４に記憶してもよく、ボリューム名および特徴量の双方を組み合わせたものと画像処理パラメータＰ０とを対応付けてＲＡＭ１４に記憶してもよい。
【００７０】
なお、将来的には、静止画像データＳ０を取得するデジタルカメラにＩＰｖ６のような機器を特定するＩＤが割り当てられる可能性がある。このように機器にＩＤが割り当てられている場合には、デジタルカメラにおいて静止画像データＳ０に対してシリアル番号をファイル名として付与するようにすれば、機器のＩＤおよびファイル名と画像処理パラメータＰ０とを対応付けてＲＡＭ１４に記憶するようにしてもよい。
【００７１】
また、上記実施形態においては、メディアＭに記録された静止画像データＳ０の再生時にサムネイル画像の一覧画面を表示しているが、画像再生の終了時に、そのメディアＭについて最後に再生した画像のファイル名をＲＡＭ１４に記憶しておき、同一のメディアＭがメディアドライブ１１に挿入された場合には、前回最後に再生した画像の次のファイル名を有する画像を自動的に再生するようにしてもよい。
【００７２】
また、上記実施形態においては、ＲＡＭ１４の空き容量が不足した場合に、画像処理パラメータＰ０の算出パラメータＰ１を古いものから順に削除しているが、全ての画像処理パラメータＰ０について算出パラメータＰ１を削除した後は、残った指定パラメータＰ２についても古いものから順に削除してもよい。また、削除する画像処理パラメータＰ０と残しておく画像処理パラメータＰ０とを指定可能とし、残しておくと指定された画像処理パラメータＰ０については、空き容量が不足している場合であってもＲＡＭ１４から削除しないようにしてもよい。
【００７３】
また、上記実施形態においては、画像処理手段２１において算出された画像処理パラメータＰ０をＲＡＭ１４に記憶しているが、図７に示す本発明の他の実施形態によるＤＶＤプレーヤー１′のように、メディアＭに対してデータを書き込み可能なメディアドライブ１１′を有する場合には、メディアＭに算出された画像処理パラメータＰ０を記録するようにしてもよい。この場合、データの追記を好まないユーザもいるため、画像処理パラメータＰ０をメディアＭに記録してよいか否かを選択させる画面をテレビ３に表示することが好ましい。この際、メディアＭに画像処理パラメータＰ０を記録しない旨の選択がなされた場合には、画像処理パラメータＰ０をＲＡＭ１４に記憶すればよい。
【図面の簡単な説明】
【図１】本発明の実施形態による画像処理装置を適用したＤＶＤプレーヤーの構成を示す概略ブロック図
【図２】画像処理パラメータの算出を説明するための図
【図３】画像処理パラメータの記憶態様を示す図
【図４】本実施形態において行われる処理を示すフローチャート（その１）
【図５】本実施形態において行われる処理を示すフローチャート（その２）
【図６】本実施形態において行われる処理を示すフローチャート（その３）
【図７】本発明の他の実施形態による画像処理装置を適用したＤＶＤプレーヤーの構成を示す概略ブロック図
【符号の説明】
１，１′　　ＤＶＤプレーヤー
３　　テレビ
４　　パソコン
５　　デジタルカメラ
１１，１１′　　メディアドライブ
１２　　デコーダー
１３　　ＲＯＭ
１４　　ＲＡＭ
１５　　リモコン
１６　　受信部
１７　　テレビ端子
１８　　入出力端子
１９　　ＣＰＵ
２１　　画像処理手段
【図１】
2004088435.tif 000003
【図２】
2004088435.tif 000004
【図３】
2004088435.tif 000005
【図４】
2004088435.tif 000006
【図５】
2004088435.tif 000007
【図６】
2004088435.tif 000008
【図７】
2004088435.tif 000009